(57)【要約】      （修正有）【課題】圧造に使用したショット数を目盛り表示して保管できる圧造部品の寿命管理スタンドを得ること。【解決手段】パンチＡを起立状に支持する複数の支持孔を有するスタンドケース１の各支持孔に、中心部にパンチＡの挿入孔２ａを有しかつ周囲に目盛りが形成されたリング体２を回転可能に支持すると共に、スタンドケース１に目盛りに対する基準マーク１ｃを設け、基準マーク１ｃと該マーク１ｃに相対する目盛りの数値とにより保管するパンチＡの圧造に使用したショット数を表示するようにした。【選択図】図２
0003133591.tif 000002
【実用新案登録請求の範囲】
【請求項１】
パンチなどの圧造部品を起立状に支持する複数の支持孔を有するスタンドケースの各支持孔に、中心部に圧造部品の挿入孔を有しかつ周囲に目盛りが形成されたリング体が回転可能に支持されていると共に、スタンドケースに上記目盛りに対する基準マークが設けられ、この基準マークと該マークに相対する目盛りの数値とにより保管する圧造部品の圧造に使用したショット数が表示されることを特徴とする圧造部品の寿命管理スタンド。
【請求項２】
スタンドケースの各支持孔の上部に、前後面が一部開口する大径保持孔が形成されていると共に、各大径保持孔の上端側周面に基準マークが設けられる一方、リング体が上記大径保持孔に回転可能に支持されると共に、リング体の前後部が上記大径保持孔の前後開口部を介して外部に露出され、かつ、リング体の上端部に先細まりの目盛り付きテーパー部が形成されて、基準マークと該マークに相対するテーパー部の目盛りの数値とにより圧造に使用したショット数が表示され、さらに、上記大径支持孔とリング体との間に抜け止め兼空回り防止用のＯリングが介装されていることを特徴とする請求項１に記載の圧造部品の寿命管理スタンド。
【考案の詳細な説明】
【技術分野】
【０００１】  本考案は、主としてパンチなどの圧造部品を使用途中で一時保管する圧造部品の寿命管理スタンドに関する。
【技術背景】
【０００２】  従来、例えばパンチなどの圧造部品を使用途中で別のパンチに交換するため使用していたパンチを一時保管する際、圧造に使用したショット数を記録したメモ等を添えて、使用したパンチを適宜保管ケースなどに収容して管理保管している。
【考案の開示】
【考案が解決しようとする課題】
【０００３】  ところで、上記した保管ケースへの収容による保管では、往々にして圧造に使用したショット数を記録したメモ等を添えるのを忘れたり、メモがどのパンチに対応するのかわからなくなったりする問題を有していた。そのため、交換時期を逸して成形品が変形したり圧造部品が損傷するといった問題があった。【０００４】  そこで、本考案は圧造に使用したショット数を目盛り表示して保管できる圧造部品の寿命管理スタンドの提供を課題とする。
【課題を解決するための手段】
【０００５】  上記課題を解決するため、本願の請求項１の考案は、パンチなどの圧造部品を起立状に支持する複数の支持孔を有するスタンドケースの各支持孔に、中心部に圧造部品の挿入孔を有しかつ周囲に目盛りが形成されたリング体が回転可能に支持されていると共に、スタンドケースに上記目盛りに対する基準マークが設けられ、この基準マークと該マークに相対する目盛りの数値とにより保管する圧造部品の圧造に使用したショット数が表示されることを特徴とする。【０００６】  また、請求項２に記載の考案は、請求項１に記載の構成において、スタンドケースの各支持孔の上部に、前後面が一部開口する大径保持孔が形成されていると共に、各大径保持孔の上端側周面に基準マークが設けられる一方、リング体が上記大径保持孔に回転可能に支持されると共に、リング体の前後部の一部が上記大径保持孔の前後開口部を介して外部に露出され、かつ、リング体の上端部に先細まりの目盛り付きテーパー部が形成されて、基準マークと該マークに相対するテーパー部の目盛りの数値とにより圧造に使用したショット数が表示され、さらに、上記大径支持孔とリング体との間に抜け止め兼空回り防止用のＯリングが介装されていることを特徴とする。
【考案の効果】
【０００７】  本考案によれば、上記した構成によりスタンドケースに圧造部品を立て掛けて保管できると同時に、スタンドケースの基準マークと該マークに相対する回転操作可能なリング体の目盛りの数値とから保管する圧造部品の圧造に使用したショット数を表示することができる。これにより、再使用する際に、圧造に使用したショット数を容易に確認することができ、圧造部品の寿命管理を容易に行うことができて、圧造部品の交換時期の遅れによる成形品変形や圧造部品の損傷などを未然に防止できる。【０００８】  また、スタンドケースの各支持孔の上部に、前後面が一部開口する大径保持孔を形成すると共に、各大径保持孔の上端側周面に基準マークを設ける一方、リング体を上記大径保持孔に回転可能に支持すると共に、リング体の前後部の一部を上記大径保持孔の前後開口部を介して外部に露出させ、かつ、リング体の上端部に先細まりの目盛り付きテーパー部を形成して、基準マークと該マークに相対するテーパー部の目盛りの数値とにより圧造に使用したショット数を表示し、さらに、上記大径支持孔とリング体との間に抜け止め兼空回り防止用のＯリングを介装するようにすれば、スタンドケースの基準マークに対するリング体の目盛りの数値を変更する際、上記大径保持孔の前後開口部から外部に露出するリング体の前後部を利用してリング体を容易に回転させることができ、また、大径支持孔とリング体との間に介装するＯリングにより、多少の外力が加わってもその変更位置を維持できると共に、リング体の抜け出しを防止できるので好ましい。
【考案を実施するため最良の形態】
【０００９】  以下、本考案の実施の形態を図面に基づいて説明する。
図１は、本考案に係る圧造部品の寿命管理スタンドを示し、１は、パンチ（圧造部品）Ａを起立状に支持する複数（図では５個）の支持孔１ａ…１ａを有するスタンドケースで、スタンドケース１の各支持孔１ａ…１ａの上部に、前後面が一部開口する大径保持孔１ｂ…１ｂが形成されていると共に、各大径保持孔１ｂ…１ｂの上端側周面に目安となる基準マーク１ｃが設けられている。２は、大径保持孔１ｂに回転可能に支持され、中心部に圧造部品Ａの挿入孔２ａを有する目盛付きのリング体で、外周部の上端部に周溝２ｂを介してリング体２の大径保持孔１ｂからの抜け止め兼空回り防止用のＯリング体３が設けられている。また、、リング体２の外周部にはスプライン又はセレーションなどの回転用操作部２ｃが形成され、リング体２の前後部の一部が上記大径保持孔１ｂの前後開口部を介して外部に露出されている。さらに、リング体２の上端部には、先細まりのテーパー部２ｄが形成され、そのテーパー部２ｄの外周面に目盛り２ｅが形成されている。
【００１０】  スタンドケース１の各支持孔１ａ…１ａの前面部分には、保管するパンチＡに対応した予測寿命ショット数を表示したラベル４をそれぞれ貼り付けている。
【００１１】  また、図１においてスタンドケース１の各支持孔１ａ…１ａの下部には潤滑油を通す通孔部１ｄを介して油溜部１ｅが形成され、パンチＡから垂れ落ちる潤滑油を油溜部１ｅに貯めるように構成されている。油溜部１ｅに貯まった潤滑油は油溜部１ｅの例えば側部に設けられる蓋付き排出口（図示せず）から適宜排出される。
【００１２】  次に、上記した寿命管理スタンドの作用について説明する。
【００１３】  まず、使用に時には、スタンドケース１の支持孔１ａ前面に、保管するパンチＡに対応した予測寿命ショット数、例えば予測寿命１０万個を表示したラベル４を貼り付けたうえで、そのパンチＡを支持孔１ａ及び挿入孔１ａに挿入して立て掛け保管する。そのとき、目盛付きリング体２をその操作部２ｃにより回転させて図２に示すように基準マーク１ｃに目盛り２ｅの０を合わせて未使用であることを表示し、いつでも目視により確認できるようにする。
【００１４】  次に、上記パンチＡを使用する際には、上記目盛り２ｅとラベル４から作業者は使用されていないパンチＡであることと、予測寿命ショット数が１０万個であることを確認した上で使用することになる。
【００１５】  そして、パンチの使用後、パンチＡをスタンドケース１の挿入孔２ａに立て掛けて保管する場合には、パンチＡの圧造に使用したショット数がわかるように目盛り付きリング体２を回転操作する。例えば３万回使用した場合には、目盛り付きリング体２をその操作部２ｃにより回転させて図３に示すように基準マーク１ｃに目盛り２ｅの３目盛りを合わせる。これにより３万回使用したことを表示し、いつでも目視により確認できるようにする。
【００１６】  その後、再びパンチＡを使用するに際し、作業者は上記目盛り２ｅとラベル４から３万回使用したパンチであることと、予測寿命ショット数が１０万個であることを確認した上で使用することになる。そして、パンチＡの使用後、再度パンチＡをスタンドケース１の挿入孔１ａに立て掛けて保管する場合には、そのパンチＡが圧造に使用したトータルショット数がわかるように目盛付きリングを回転操作する。例えば２万回使用した場合には、目盛付きリング体２をその操作部２ｃをして回転させ基準マークに目盛り２ｅの５日盛りを合わせる。これによりトータルで５万回使用したことを表示し、いつでも目視により確認できるようにする。
【００１７】  そして、以後同様の操作を繰り返し行い、そのパンチＡの圧造に使用したトータルショット数が１０万回になったときには、予想寿命に達したので新たなパンチＡに交換することになる。
【００１８】  以上のように本考案によれば、スタンドケース１にパンチＡを立て掛けて保管できると同時に、スタンドケース１の基準マーク１ｃと該マーク１ｃに相対する回転操作可能なリング体２の目盛り２ｅの数値とから保管するパンチＡの圧造に使用したショット数を表示することができる。これにより、再使用する際に、圧造に使用したショット数を容易に確認することができ、パンチＡの寿命管理を容易に行うことができて、パンチＡの交換時期の遅れによる成形品変形や圧造部品の損傷などを未然に防止できる。
【００１９】  また、スタンドケース１の各支持孔１ａの上部に、前後面が一部開口する大径保持孔１ｂを形成すると共に、大径保持孔１ｂの上端側周面に基準マーク１ｃを設ける一方、リング体２を上記大径保持孔１ｂに回転可能に支持すると共に、リング体２の前後部の一部を上記大径保持孔１ｂの前後開口部を介して外部に露出させ、かつ、リング体２の上端部に先細まりの目盛り２ｅ付きテーパー部２ｄを形成したことにより、基準マーク１ｃと該マーク１ｃに相対するテーパー部２ｄの目盛りの数値とにより圧造に使用したショット数を表示することができる。さらに、スタンドケース１の基準マーク１ｃに対するリング体２の目盛り２ｅの数値を変更する際、上記大径保持孔１ｂの前後開口部から外部に露出するリング体２の操作部２を利用してリング体２を容易に回転させることができる。また、大径支持孔１ｂとリング体２との間に介装する抜け止め兼空回り防止用のＯリング３により、多少の外力が加わってもその変更位置を維持できると共に、リング体２の大径保持孔１ｂからの抜け出しも防止できる。
【００２０】  以上の実施の形態では、パンチＡについて説明したけれども、パンチ以外の圧造部品、例えば図１に示すようにノックアウトピンＢ、チャックスピンドルＣ、チャック爪Ｄ等をスタンドケース１の挿入孔１ａ…１ａに立て掛けて保管する場合にも、スタンドケース１の基準マーク１ｃに対するリング体２の目盛り２ｅの数値とラベル４から同様に圧造に使用したショット数とその予想寿命とを表示して、同様に管理保管することができる。
【図面の簡単な説明】
【００２１】
【図１】  本考案の圧造部品の寿命管理スタンドの斜視図である。
【図２】  同要部の縦断面図である。
【図３】  同平面図である。
【符号の説明】
【００２２】    １        スタンドケース
１ａ      支持孔
１ｂ      大径保持孔
１ｃ      基準マーク
２        リング体
２ａ      挿入孔
２ｃ      回転用操作部
２ｄ      テーパー部
２ｅ      目盛り
３        Ｏリング
【図１】
0003133591.tif 000003
【図２】
0003133591.tif 000004
【図３】
0003133591.tif 000005